(57)【要約】【課題】落下による端子間短絡等を防止できる接続コード用クリップを提供する。【解決手段】一端が端子１に取り付けられるクリップ付接続コードに用いるための接続コード用クリップ１０であって、先端部がワニ口にされるとともに末端部にリード線４０が接続されるワニグチクリップ２０と、ワニグチクリップ２０が閉じた状態ではワニグチクリップ２０全体を被覆できる長さにされた絶縁カバー３０とを具備する。絶縁カバー３０には、ワニグチクリップ２０が閉じると絶縁カバー３０を伸ばしてワニグチクリップ２０全体を絶縁カバー３０で被覆するための付勢手段としてバネ３１が取り付けられている。【選択図】図１
2019160588.tif 000002
【特許請求の範囲】
【請求項１】
一端が端子（１）に取り付けられるクリップ付接続コードに用いるための接続コード用クリップ（１０）であって、
先端部がワニ口にされた、かつ、末端部にリード線（４０）が接続されるワニグチクリップ（２０）と、
前記ワニグチクリップが閉じた状態では該ワニグチクリップ全体を被覆できる長さにされた絶縁カバー（３０）とを具備し、
前記絶縁カバーに、前記ワニグチクリップが閉じると該絶縁カバーを伸ばして該ワニグチクリップ全体を該絶縁カバーで被覆するための付勢手段（３１）が取り付けられている、
ことを特徴とする、接続コード用クリップ。
【請求項２】
前記付勢手段が、前記絶縁カバーの中央部に取り付けられたバネであることを特徴とする、請求項１記載の接続コード用クリップ。
【請求項３】
前記バネの付勢力が、前記絶縁カバーの先端部を前記ワニグチクリップの先端部が露出するまで該ワニグチクリップの末端部に向けてずらしたときに該絶縁カバーの先端部の該ワニグチクリップに対する締付力よりも小さくされているとともに、前記クリップ付接続コードの一端を前記端子に取り付けた際に前記絶縁カバーの先端部を前記ワニグチクリップの先端部に向けてずらせる大きさにされていることを特徴とする、請求項２記載の接続コード用クリップ。
【請求項４】
前記バネが、２つのリング状部と、両端が該２つのリング状部にそれぞれ固定された螺旋状部とを備えることを特徴とする、請求項３記載の接続コード用クリップ。
【請求項５】
前記ワニグチクリップが、
ワニ口を形成するための第１および第２の刃（２２ａ，２２ｂ）が先端部にそれぞれ形成された第１および第２の挟持片（２１ａ，２１ｂ）と、
前記ワニグチクリップの中央部に取り付けられた、かつ、前記第１および第２の挟持片を軸支持するための軸（２３）と、
前記軸に外嵌めされた、かつ、前記ワニグチクリップを閉じるように前記第１および第２の挟持片を付勢するための捩りコイルバネ（２４）と、
前記第２の挟持片（２１ｂ）の末端部に取り付けられた、かつ、前記リード線を前記ワニグチクリップの末端部に取り付けるための突片（２５）および薄片（２６）とを備え、
前記バネの前記２つのリング状部および前記螺旋部の内径が、前記ワニグチクリップを閉じたときの前記第１および第２の挟持片の末端部間の長さ（Ｌａ）よりも大きくされている、
ことを特徴とする、請求項４記載の接続コード用クリップ。
【請求項６】
前記バネの２つのリング状部の一方が、前記第１および第２の挟持片の前記第１および第２の刃よりも前記軸側に取り付けられており、
前記バネの２つのリング状部の他方が、前記ワニグチクリップを開くために前記第１および第２の挟持片の末端部を閉じる部分よりも前記軸側に取り付けられている、
ことを特徴とする、請求項５記載の接続コード用クリップ。
【請求項７】
前記絶縁カバーは、中央部が膨らんだ円筒状にされており、
前記絶縁カバーの先端の開口の径が、前記ワニグチクリップを閉じたときの前記第１および第２の挟持片の前記第１および第２の刃が形成された部分の末端側間の長さ（Ｌｂ）よりも小さくされている、
ことを特徴とする、請求項５または６記載の接続コード用クリップ。
【請求項８】
前記絶縁カバーの末端部を前記リード線に固着するための固着部材（５０）をさらに具備することを特徴とする、請求項１乃至７いずれかに記載の接続コード用クリップ。
【発明の詳細な説明】
【技術分野】
【０００１】
本発明は、クリップ付接続コードに用いるのに好適な接続コード用クリップに関する。
【背景技術】
【０００２】
通信作業等で回路試験を行う際には、リード線の両端に接続コード用クリップがそれぞれ取り付けられたクリップ付接続コードを用いて、一方の接続コード用クリップで回路の端子台の端子（ネジ山等）を挟んで端子台を介してリード線の一端を回路に接続するとともに、他方の接続コード用クリップで測定器の入力端子やアース端子等を挟んでリード線の他端を測定器やアース等に接続している（例えば、下記の特許文献１参照）。
【０００３】
このような接続コード用クリップは、図４に示す接続コード用クリップ１１０のように、金属製のワニグチクリップ１２０と、塩化ビニール製の絶縁カバー１３０とを具備する。
【０００４】
ここで、ワニグチクリップ１２０は、軸支持された第１および第２の挟持片１２１ａ，１２１ｂ（金属片）と、軸１２３と、捩りコイルバネ１２４と、突片１２５と、薄片１２６とを備える。
【０００５】
第１および第２の挟持片１２１ａ，１２１ｂの先端部には、ワニ口を形成するために、幅方向両端から立設されて互いに当接し合う辺に山谷状の第１および第２の刃１２２ａ，１２２ｂがそれぞれ形成されている。
【０００６】
第１および第２の挟持片１２１ａ，１２１ｂは、中央部が軸１２３の軸心回りに揺動自在に枢着されており、軸１２３に外嵌めされた捩りコイルバネ１２４によってワニグチクリップ１２０（第１および第２の挟持片１２１ａ，１２１ｂの先端部）が閉じるように付勢されている。
これにより、作業員が第１および第２の挟持片１２１ａ，１２１ｂの基端部（摘み部）を２本の指で摘んで閉じると、ワニグチクリップ１２０（第１および第２の挟持片１２１ａ，１２１ｂの先端部）が開くようにされている。
【０００７】
第２の挟持片１２１ｂの基端側には、リード線１４０の端部の電線露出部分がハンダ付けされる。また、第２の挟持片１２１ｂの基端側には突片１２５が設けられているとともに、突片１２５の長さ方向中間部の幅方向両端には短冊状の２個の薄片１２６（手前側の薄片１２６のみ図示）がそれぞれ立設されている。
これにより、２個の薄片１２６を内側に折り曲げてリード線１４０の端部の被覆部分を挟み込むことにより、通常の引張力等の外力によってリード線１４０がハンダ付部分から剥離しないようにされている。
【０００８】
絶縁カバー１３０は、ワニグチクリップ１２０（第１および第２の挟持片１２１ａ，１２１ｂ）の先端部以外を被覆している。
【０００９】
しかし、接続コード用クリップ１１０を用いて構成されたクリップ付接続コードを通信作業等での回路試験に使用した場合には、何かの拍子にリード線１４０に大きなテンションが加わると、接続コード用クリップ１１０が端子から外れてしまいそのまま他の端子と接触して短絡状態になり、重要な回線を停止させたり遮断器をミストリップ（誤遮断）させたりするという事故が発生する。
【００１０】
このような事故発生を防止する解決手法として、下記の特許文献２には、２個の挟持片の絶縁カバーより露出した先端部の外面に絶縁被覆を形成したワニグチクリップ（鰐口クリップ）が開示されている。
【００１１】
なお、下記の特許文献３には、絶縁カバーの基端部を蛇腹状にしてスプリング効果を持たせることにより、バナナクリップ付配線コードとしても機能できるようにしたワニグチクリップ付配線コードが開示されている。
【００１２】
また、下記の特許文献４には、導電性部材の長さ方向に沿って弾性的に伸縮可能とするために蛇腹形状を備えさせた、計器に接続される導電性部材を覆う導電性部材保護カバーが開示されている。
【先行技術文献】
【特許文献】
【００１３】
【特許文献１】特開２０１０−００９９４１号公報
【特許文献２】実開昭６０−１２６９８０号公報
【特許文献３】実開昭６３−０３３５７４号公報
【特許文献４】特開２０１３−２５８９０３号公報
【発明の概要】
【発明が解決しようとする課題】
【００１４】
しかしながら、上記の特許文献２に開示されたワニグチクリップでは、市販品のワニグチクリップの挟持片の絶縁カバーより露出した先端部の外面に絶縁被覆を形成する必要があるという問題がある。
【００１５】
本発明の目的は、落下による端子間短絡等を防止することができる接続コード用クリップを提供することにある。
【課題を解決するための手段】
【００１６】
本発明の接続コード用クリップは、一端が端子（１）に取り付けられるクリップ付接続コードに用いるための接続コード用クリップ（１０）であって、先端部がワニ口にされた、かつ、末端部にリード線（４０）が接続されるワニグチクリップ（２０）と、前記ワニグチクリップが閉じた状態では該ワニグチクリップ全体を被覆できる長さにされた絶縁カバー（３０）とを具備し、前記絶縁カバーに、前記ワニグチクリップが閉じると該絶縁カバーを伸ばして該ワニグチクリップ全体を該絶縁カバーで被覆するための付勢手段（３１）が取り付けられていることを特徴とする。
ここで、前記付勢手段が、前記絶縁カバーの中央部に取り付けられたバネであってもよい。
前記バネの付勢力が、前記絶縁カバーの先端部を前記ワニグチクリップの先端部が露出するまで該ワニグチクリップの末端部に向けてずらしたときに該絶縁カバーの先端部の該ワニグチクリップに対する締付力よりも小さくされているとともに、前記クリップ付接続コードの一端を前記端子に取り付けた際に前記絶縁カバーの先端部を前記ワニグチクリップの先端部に向けてずらせる大きさにされていてもよい。
前記バネが、２つのリング状部と、両端が該２つのリング状部にそれぞれ固定された螺旋状部とを備えてもよい。
前記ワニグチクリップが、ワニ口を形成するための第１および第２の刃（２２ａ，２２ｂ）が先端部にそれぞれ形成された第１および第２の挟持片（２１ａ，２１ｂ）と、前記ワニグチクリップの中央部に取り付けられた、かつ、前記第１および第２の挟持片を軸支持するための軸（２３）と、前記軸に外嵌めされた、かつ、前記ワニグチクリップを閉じるように前記第１および第２の挟持片を付勢するための捩りコイルバネ（２４）と、前記第２の挟持片（２１ｂ）の末端部に取り付けられた、かつ、前記リード線を前記ワニグチクリップの末端部に取り付けるための突片（２５）および薄片（２６）とを備え、前記バネの前記２つのリング状部および前記螺旋部の内径が、前記ワニグチクリップを閉じたときの前記第１および第２の挟持片の末端部間の長さ（Ｌａ）よりも大きくされていてもよい。
前記バネの２つのリング状部の一方が、前記第１および第２の挟持片の前記第１および第２の刃よりも前記軸側に取り付けられており、前記バネの２つのリング状部の他方が、前記ワニグチクリップを開くために前記第１および第２の挟持片の末端部を閉じる部分よりも前記軸側に取り付けられていてもよい。
前記絶縁カバーは、中央部が膨らんだ円筒状にされており、前記絶縁カバーの先端の開口の径が、前記ワニグチクリップを閉じたときの前記第１および第２の挟持片の前記第１および第２の刃が形成された部分の末端側間の長さ（Ｌｂ）よりも小さくされていてもよい。
前記絶縁カバーの末端部を前記リード線に固着するための固着部材（５０）をさらに具備してもよい。
【発明の効果】
【００１７】
本発明の接続コード用クリップは、以下に示す効果を奏する。
（１）端子から外れて落下するとバネによって瞬時に絶縁カバーを閉じることができるため、落下による端子間短絡等を防止することができる。
（２）構造がシンプルで小型化にも対応できるとともに安価に量産することができる。
【図面の簡単な説明】
【００１８】
【図１】本発明の一実施例による接続コード用クリップ１０について説明するための図であり、内部構造を示すために絶縁カバー３０を透明状にした図である。
【図２】図１に示した接続コード用クリップ１０を用いたクリップ付接続コードの使用方法の一例について説明するための図であり、（ａ）〜（ｃ）は手順１〜３についてそれぞれ説明するための図である。
【図３】図１に示した接続コード用クリップ１０の技術的効果の一例について説明するための図であり、（ａ）は接続コード用クリップ１０を端子１に取り付けた状態を示す図であり、（ｂ）は接続コード用クリップ１０が端子１から外れて落下したときの状態を示す図である。
【図４】従来の接続コード用クリップ１１０について説明するための図であり、内部構造を示すために絶縁カバー１３０を透明状にした図である。
【発明を実施するための形態】
【００１９】
上記の目的を、絶縁カバーを通常時にはワニグチクリップ全体を被覆できる長さにするとともに、絶縁カバーが伸びる方向に絶縁カバーの先端部を付勢するためのバネを絶縁カバーの中央部に取り付けることにより実現した。
【実施例１】
【００２０】
以下、本発明の接続コード用クリップの実施例について図面を参照して説明する。
本発明の一実施例による接続コード用クリップ１０は、図１に示すように、先端部がワニ口にされるとともに末端部にリード線４０が接続されるワニグチクリップ２０（第１および第２の挟持片２１ａ，２１ｂ、軸２３、捩りコイルバネ２４、突片２５および薄片２６を備える。）と絶縁カバー３０とを具備する点では、図４に示した接続コード用クリップ１１０と同様である。
【００２１】
しかし、接続コード用クリップ１０は、以下の点で、図４に示した従来の接続コード用クリップ１１０と相違する。
（１）絶縁カバー３０は、通常時にはワニグチクリップ２０全体を被覆できる長さにされている。
（２）絶縁カバー３０に、ワニグチクリップ２０が閉じると絶縁カバー３０を伸ばしてワニグチクリップ２０全体を被覆するための付勢手段として機能する絶縁性のバネ３１（圧縮コイルバネ）が取り付けられている。
（３）絶縁カバー３０の末端部をリード線４０に固着するための固着部材としてビニールテープ５０を具備する。
【００２２】
ここで、バネ３１は、絶縁カバー３０の中央部に取り付けられているとともに、第１および第２のリング状部と、両端が第１および第２のリング状部にそれぞれ固定された螺旋状部とを備える。
【００２３】
バネ３１の第１のリング状部は、ワニグチクリップ２０の第１および第２の挟持片２１ａ，２１ｂの第１および第２の刃２２ａ，２２ｂよりも軸２３側に取り付けられており、バネ３１の第２のリング状部は、ワニグチクリップ２０を開くために第１および第２の挟持片２１ａ，２１ｂの末端部を２本の指等で摘んで閉じる部分（摘み部）よりも軸３１側に取り付けられている。
バネ３１の第１および第２のリング状部および螺旋部の内径は、ワニグチクリップ２０を閉じたときの第１および第２の挟持片２１ａ，２１ｂの末端部間の長さＬａよりも大きくされている。
【００２４】
バネ３１の付勢力は、絶縁カバー３０の先端部をワニグチクリップ２０（第１および第２の挟持片２１ａ，２１ｂ）の先端部が露出するまでワニグチクリップ２０の末端部に向けてずらしたときに絶縁カバー３０の先端部のワニグチクリップ２０に対する締付力によって絶縁カバー３０の先端部がワニグチクリップ２０の先端部に向けてずれない大きさにされている。
また、バネ３１の付勢力は、クリップ付接続コードの一端を端子１（図２（ｃ）参照）に取り付けた際に絶縁カバー３０の先端部をワニグチクリップ２０の先端部に向けてずらせる大きさにされている。
【００２５】
絶縁カバー３０は、中央部が膨らんだ円筒状にされている。
また、絶縁カバー３０の先端の開口の径は、ワニグチクリップ２０を閉じたときの第１および第２の挟持片２１ａ，２１ｂの第１および第２の刃２２ａ，２２ｂが形成された部分の末端側間の長さＬｂよりも小さくされている。
【００２６】
次に、接続コード用クリップ１０を用いたクリップ付接続コードの使用方法の一例として、接続コード用クリップ１０を端子台の端子１に取り付ける際の手順について、図２（ａ）〜（ｃ）を参照して説明する。
【００２７】
（手順１）作業員は、図２（ａ）に白抜き矢印で示すように、ワニグチクリップ２０の第１および第２の挟持片２１ａ，２１ｂの末端部を片方の手の２本の指で第１および第２の挟持片２１ａ，２１ｂの先端部が開かない程度に絶縁カバー３０を介して軽く摘んだのち、絶縁カバー３０の先端部を他方の手の２本の指で摘んで第１および第２の刃２２ａ，２２ｂが半分程度露出するまで第１および第２の挟持片２１ａ，２１ｂの末端部に向けてずらす。
【００２８】
このとき、第１および第２の挟持片２１ａ，２１ｂの末端部は軽く摘まれているため、バネ３１の第１のリング状部は絶縁カバー３０と同様に第１および第２の挟持片２１ａ，２１ｂの末端部に向けてずれていくが、バネ３１の第２のリング状部はほとんどずれない。
これにより、絶縁カバー３０のバネ３１の第１のリング状部よりも先端側だけを縮ませることができる。
【００２９】
（手順２）作業員は、他方の手の２本の指を絶縁カバー３０の先端部から離したのち、図２（ｂ）に太い白抜き矢印で示すように第１および第２の挟持片２１ａ，２１ｂの末端部を片方の手の２本の指で強く摘んでワニグチクリップ２０を開いていく。
【００３０】
このとき、絶縁カバー３０の先端の開口の径は長さＬｂよりも小さくされているため、第１および第２の挟持片２１ａ，２１ｂの先端部が絶縁カバー３０の先端部によって強く締め付けられ、また、バネ３１の付勢力は絶縁カバー３０の先端部のこの締付力よりも小さくされているため、作業員が他方の手の２本の指を絶縁カバー３０の先端部から離しても絶縁カバー３０の先端部がずれないようにできる。
【００３１】
（手順３）作業員は、接続コード用クリップ１０を端子１に近付けたのち、図２（ｃ）に示すようにワニグチクリップ２０の第１および第２の刃２２ａ，２２ｂの先端部で端子１を挟み付けて、クリップ付接続コード（リード線４０）の一端を端子１に取り付ける。
【００３２】
このとき、バネ３１の付勢力は絶縁カバー３０の先端部をワニグチクリップ２０の先端部に向けてずらせる大きさにされているため、同図に矢印で示すように絶縁カバー３０の先端部がバネ３１の付勢力によってワニグチクリップ２０の先端部から突出するまでずれる。
これにより、ワニグチクリップ２０全体を絶縁カバー３０によって被覆できるため、ヒューマンエラーによって接続コード用クリップ１０を落下させても端子間短絡等を防止できる。
【００３３】
また、複数の端子板が隔壁を介して並んで配列されている端子台では、図３（ａ）に示すように端子１は隔壁の中に設けられるため、接続コード用クリップ１０のワニグチクリップ２０を端子１に取り付ける際に絶縁カバー３０の先端部が隔壁の前面に当接して、第１および第２の挟持片２１ａ，２１ｂの先端部が露出した状態で第１および第２の刃２２ａ，２２ｂの先端部で端子１を挟み付けることになる。
【００３４】
その後、何かの拍子にリード線４０に大きなテンションが加わって接続コード用クリップ１０が図３（ｂ）に白抜き矢印で示すように端子１から外れてしまっても、ワニグチクリップ２０は閉じるため、同図に矢印で示すように絶縁カバー３０の先端部がバネ３１の付勢力によってワニグチクリップ２０の先端部から突出するまでずれる。
【００３５】
その結果、ワニグチクリップ２０全体を絶縁カバー３０によって被覆できるため、ヒューマンエラーによって接続コード用クリップ１０を落下させても端子間短絡等を防止できる。
【００３６】
以上の説明では、バネ３１は第１および第２のリング状部と螺旋状部とを備えたが、螺旋状部のみ備えるものでもよい。
また、絶縁カバー３０の末端部をリード線４０に固着するための固着部材としてビニールテープ５０を用いたが、絶縁性の紐等を用いてもよい。
【符号の説明】
【００３７】
１  端子
１０，１１０  接続コード用クリップ
２０，１２０  ワニグチクリップ
２１ａ，２１ｂ，１２１ａ，１２１ｂ  第１および第２の挟持片
２２ａ，２２ｂ，１２２ａ，１２２ｂ  第１および第２の刃
２３，１２３  軸
２４，１２４  捩りコイルバネ
２５，１２５  突片
２６，１２６  薄片
３０，１３０  絶縁カバー
３１  バネ
４０，１４０  リード線
５０  ビニールテープ
Ｌａ，Ｌｂ  長さ
【図１】
2019160588.tif 000003
【図２】
2019160588.tif 000004
【図３】
2019160588.tif 000005
【図４】
2019160588.tif 000006